(57)【特許請求の範囲】
【請求項１】
作成した表示データを送信する本体ユニットと、
該本体ユニットから送信された表示データを基にして表示を行う表示装置とを備えている表示システムにおいて、
前記本体ユニットと前記表示装置とが、無線通信手段を介して通信を行い、
前記本体ユニットと前記表示装置とを分離して装着することができ、
前記表示装置は、前記無線通信手段を介して前記本体ユニットから送信された表示データを受信する受信部と、
受信した表示データを基にして表示パネルに表示信号を供給し、前記受信部の制御を行う制御部と、
前記制御部が前記表示パネルの表示状態を判断した結果を、前記無線通信手段を介して、前記本体ユニットヘフィードバックするための送信部とを備えており、
前記送信部は、予め設定された表示パネルにおける表示可能な条件を、前記無線通信手段を介して、前記本体ユニットヘ送信し、
前記本体ユニットは、前記表示装置からフィードバックされた表示状態の判断結果に基づいて、表示装置に送信する表示データの送信を一時中止したり、中止を解除したりすることを特徴とする表示システム。
【請求項２】
作成した表示データを送信する本体ユニットと、
該本体ユニットから送信された表示データを基にして表示を行う表示装置とを備えている表示システムにおいて、
前記本体ユニットと前記表示装置とが、無線通信手段を介して通信を行い、
前記本体ユニットと表示装置とを分離でき、
前記表示装置は、前記無線通信手段を介して前記本体ユニットから送信された表示データを受信する受信部と、
受信した表示データを基にして表示パネルに表示信号を供給し、前記受信部の制御を行う制御部と、
前記制御部が前記表示パネルの表示状態を判断した結果を、前記無線通信手段を介して、前記本体ユニットヘフィードバックするための送信部とを備えており、
前記送信部は、予め設定された表示パネルにおける表示可能な条件を、前記無線通信手段を介して、前記本体ユニットヘ送信し、
前記本体ユニットは、前記表示装置からフィードバックされた表示状態の判断結果に基づいて、表示装置に送信する表示データの送信を一時中止したり、中止を解除したりすることを特徴とする表示システム。
【請求項３】
前記表示データは、前記表示装置において直接、表示できるような状態で、前記本体ユニットから送信されることを特徴とする請求項１に記載の表示システム。
【請求項４】
前記表示パネルを構成する一方のパネルの表面には、画素アレイが形成されており、該画素アレイは、低温プロセス多結晶シリコンＴＦＴ素子で形成されていることを特徴とする請求項１に記載の表示システム。
【請求項５】
前記表示パネルは、表示デバイス自身にメモリ機能を有していることを特徴とする請求項１に記載の表示システム。
【請求項６】
前記表示装置は、操作ユニットを備えており、該操作ユニットの操作内容を前記無線通信手段を介して、本体ユニットヘ送信することを特徴とする請求項１に記載の表示システム。
【請求項７】
前記表示装置は、表示データを記憶するための記憶手段を備えていることを特徴とする請求項１に記載の表示システム。
【請求項８】
前記制御部は、駆動電源の電源容量を検出して前記本体ユニットヘ電源容量情報を送信し、
該本体ユニットは、前記電源容量情報によって、表示装置へ送信する表示データの量を決定することを特徴とする請求項１に記載の表示システム。
【請求項９】
前記無線通信手段は、ブルーツースの仕様に基づいて構成されていることを特徴とする請求項１に記載の表示システム。
【請求項１０】
本体ユニットから送信された表示データを表示する表示パネルを有する表示装置において、
前記表示パネルに表示する表示データを無線を介して受信する受信部と、
該受信された表示データを基に前記表示パネルに信号を供給し、かつ前記受信部を制御する制御部とを備え、
前記制御部は、前記表示パネルの表示状態、あるいは予め設定した表示可能な条件を、無線を介して送信する送信部を備え、
前記制御部は、前記本体ユニットから前記表示装置への表示データの送信を一時中止したり、中止を解除したりするために、前記表示パネルの表示状態について判断し、その判断結果を前記本体ユニットヘフィードバックすること特徴とする表示装置。
【請求項１１】
制御部が前記表示装置の電源容量を検出し、該検出した電源容量の情報を無線を介して送信することを特徴とする請求項１０に記載の表示装置。
【請求項１２】
操作ユニットを備え、制御部が該操作ユニットの操作内容を、無線を介して送信することを特徴とする請求項１０に記載の表示装置。
【請求項１３】
表示データを作成する本体ユニットと、
該本体ユニットからの表示データを表示する表示装置とを備え、
前記本体ユニットと表示装置とが分離され、かつ本体ユニットと表示装置とが無線通信手段により結合された表示システムにおいて、
表示装置は、操作ユニットと、制御部と、表示パネルとを備え、
前記制御部が該操作ユニットの操作内容を無線を介して送信し、前記本体ユニットを操作し、
さらに前記制御部が、表示装置内に備えられた表示パネルの表示状態を判断し、該判断した結果を無線を介して本体ユニットにフィードバックし、
前記本体ユニットは、前記表示装置からフィードバックされた表示状態の判断結果に基づいて、表示装置に送信する表示データの送信を一時中止したり、中止を解除したりすることを特徴とする表示システム。
【請求項１４】
前記表示装置は、前記無線通信手段を介して前記本体ユニットから送信された表示データを受信する受信部と、受信した表示した表示データを基にして表示パネルに表示信号を供給し、前記受信部の制御を行う制御部とを備えていることを特徴とする請求項２に記載の表示システム。
【請求項１５】
前記表示装置は、前記制御部によって前記表示パネルの表示状態を判断し、前記無線通信手段を介して、その判断結果を前記本体ユニットへフィードバックするための送信部を備えていることを特徴とする請求項１４に記載の表示システム。
【請求項１６】
前記送信部は、予め設定された表示パネルにおける表示可能な条件を、前記無線通信手段を介して、前記本体ユニットへ送信することを特徴とする請求項１５に記載の表示システム。
【請求項１７】
前記制御部は、駆動電源の電源容量を検出して前記本体ユニットへ電源容量情報を送信し、該本体ユニットは、前記電源容量情報によって、表示装置へ送信する表示データの量を決定することを特徴とする請求項１４に記載の表示システム。
【請求項１８】
本体ユニットから送信された表示データを表示する表示パネルを有する表示装置において、
前記表示パネルに表示する表示データを無線を介して受信する受信部と、
該受信された表示データを基に前記表示パネルに信号を供給し、かつ前記受信部を制御する制御部と、
機器使用者がデータを入力する操作ユニットとを備え、
前記操作ユニットから直接制御信号を受信し、
さらに前記制御部は、本体ユニットから前記表示装置への表示データの送信を一時中止したり、中止を解除したりするために、前記表示パネルの表示状態について判断し、その判断結果を前記本体ユニットヘフィードバックすること特徴とする表示装置。
【請求項１９】
前記操作ユニットの操作状態を画面上に表示することを特徴とする請求項１８に記載の表示装置。
【請求項２０】
前記制御部は、前記表示パネルの表示状態、あるいは予め設定した表示可能な条件を、無線を介して送信する送信部を備えたことを特徴とする請求項１８に記載の表示装置。
【請求項２１】
制御部が前記表示装置の電源容量を検出し、該検出した電源容量の情報を無線を介して送信することを特徴とする請求項１８に記載の表示装置。
【発明の詳細な説明】
技術分野
本発明は、表示装置が本体ユニットと分離されたコンピュータの表示装置及び表示システムに関し、特に表示装置と本体ユニット若しくは操作ユニットとを無線通信により結合したモバイル型のいわゆるウェアラブルコンピュータの表示装置、及び表示システムに関するものである。
背景技術
一般的なコンピュータのシステムは、機器使用者がデータ等を入力する操作ユニットと、データの処理、保存、及び表示データの作成等を行う本体ユニットと、該表示データを表示する表示装置からなっている。
前記操作ユニットは、一般的にはキーボード入力、音声入力によりデータを入力する。また、本体ユニットは、データ処理を行うＣＰＵ（Ｃｅｎｔｒａｌ  Ｐｒｏｃｅｓｓｉｎｇ  Ｕｎｉｔ）、大容量データを保存するＨＤ（Ｈａｒｄ  Ｄｉｓｋ）、データ処理に必要なメモリ、表示データを作成するグラフィックカード等からなる。更に表示装置は、省スペース型の場合、液晶パネル、液晶駆動用の信号変換部、液晶バックライト及び該バックライトのインバータからなる。
近年、機器のコンパクト化が進み、ノートパソコンを初めとするモバイル型のコンピュータシステムが普及しているが、今後、更なるコンパクト化、軽量化が進み、本体ユニット、操作ユニット部及び表示装置が互いに分離された、いわゆるウェアラブルコンピュータが実用化されると思われる。
例えば、特開平１０−２８９０３４号公報（公開日１９９８年１０月２７日）には、表示部としてＨＭＤ（Ｈｅａｄ  Ｍｏｕｎｔｅｄ  Ｄｉｓｐｌａｙ）を採用し、本体ユニットを機器使用者の腰部分に装着し、ＨＭＤと本体ユニットとを光ファイバで結合し、重い配線ケーブルを光ファイバにすることにより作業性を改善したモバイル型コンピュータが記載されている。
また、特開２０００−１４８２９０号公報（公開日２０００年５月２６日）には、表示装置としてＨＭＤ及びディスプレイウォッチを採用し、ＣＰＵを含むコントロールデバイス、メモリやＨＤからなる記憶装置等の機器間を衣服に縫い込まれた超極細導体と衣服間を接続する接続用クリップを介して接続し、機器使用者の体の回りから煩雑なケーブルを無くして自然な動きを可能にする技術が記載されている。
しかしながら、前記従来のいわゆるウェアラブルコンピュータシステムでは、作業性の改善や、自由な動きを確保するため、電気ワイヤを光ケーブルに置き換えたり、電気ワイヤを衣服に縫いつけているが、従来の重い配線を軽量の光ファイバに置き換えても光ファイバは有線であり、該有線の光ファイバがＨＭＤと本体ユニット部との間に有るため作業効率は必ずしも良くない。
更に、前記従来のシステムでは、電気ワイヤを衣服に縫いつけても各衣服間を接続クリップで接続するという手間がかかり、衣服の自由な着脱ができない、電気ワイヤが縫い付けられた専用の衣服が必要である等の問題がある。
また、表示する内容は、機器使用者が表示装置を参照しながら別の作業を行ったり、所望の時間及び場所で前記コンピュータシステムを使用するため、表示内容は前記一般的なコンピュータシステムで表示される表示内容を極端に劣化させることなく表示することも要求されるが、前記従来のシステムでは、実現するに至っていない。
発明の開示
本発明の目的は、表示内容の極端な劣化を防止するとともに、各機器間、特に表示装置と本体ユニット若しくは操作ユニットとの間の有線ワイヤを排除し、機器使用者の作業効率の向上と衣服選択の自由を確保することができる表示装置及び表示システムを提供することにある。
本発明の表示システムは、作成した表示データを送信する本体ユニットと、該本体ユニットから送信された表示データを基にして表示を行う表示装置とを備えている表示システムにおいて、前記本体ユニットと表示装置とが、無線通信手段を介して通信を行い、前記本体ユニットと表示装置とを分離して装着することができる。
前記の構成によれば、通信手段として無線を用いており、表示装置と本体ユニットとを結ぶ表示データを伝送するためのケーブルがないため、機器使用者が表示装置を見ながらの作業を自由に行うことができ、本表示システムの使用者の作業効率を向上させることができる。また、従来の表示装置における接続クリップで接続するためのワイヤ接続部がないため、ワイヤ接続部の強度を確保するための機構を簡易なものにできる。
本発明の表示システムは、作成した表示データを送信する本体ユニットと、該本体ユニットから送信された表示データを基にして表示を行う表示装置とを備えている表示システムにおいて、前記本体ユニットと表示装置とが、無線通信手段を介して通信を行い、前記本体ユニットと表示装置とを分離できる。
前記の構成によれば、通信手段として無線を用いており、表示装置と本体ユニットとを結ぶ表示データを伝送するためのケーブルがないため、表示装置、本体ユニットのレイアウトの自由度を増すことができる。
また、前記表示データは、前記表示装置において複雑な処理を経ることなく、表示できるような状態で、前記本体ユニットから送信されることがより好ましい。
これにより、表示装置に複雑な処理回路を設ける必要がないため、表示装置を簡易な構成にでき、表示装置のコンパクト化および軽量化が図れる。よって、機器使用者の作業効率を従来よりも向上させることができる。
また、前記表示装置は、前記無線通信手段を介して前記本体ユニットから送信された表示データを受信する受信部と、受信した表示データを基にして表示パネルに表示信号を供給し、前記受信部の制御を行う制御分とを備えていることがより好ましい。
これにより、従来の表示装置の接続クリップで接続するためのワイヤ接続部がないため、ワイヤ接続部の強度を確保するための機構を簡易なものにできる。
また、前記表示装置は、前記制御部によって前記表示パネルの表示状態を判断し、前記無線通信手段を介して、その判断結果を前記本体ユニットへフィードバックするための送信部を備えていることがより好ましい。
これにより、本体ユニットから送信される表示データの伝送速度が表示パネルに表示される速度より早過ぎる場合には、本体ユニットからの送信を一時中止したり、逆に中止を解除したりすることで、表示状態を最適に保つことができる。
また、前記送信部は、予め設定された表示パネルにおける表示可能な条件を、前記無線通信手段を介して、前記本体ユニットへ送信することがより好ましい。
これにより、前記送信部から、予め設定された表示パネルにおける表示可能な条件と、表示パネルの現在の表示状態とが本体ユニットへ送信されるため、両者を比較することにより、表示状態を修正すべきか否かが直ちに認識できる。よって、表示状態をより効果的に保つことができる。
また、前記表示パネルを構成する一方のパネルの表面には、画素アレイが形成されており、該画素アレイは、低温プロセス多結晶シリコンＴＦＴ素子で形成されていることがより好ましい。
これにより、低温プロセス多結晶シリコンＴＦＴは、高駆動力を持つ素子であるため、パネルの表面に信号線駆動回路及び走査線駆動回路を同一プロセスで一体形成することができる。
また、前記表示パネルは、表示デバイス自身にメモリ機能を有していることがより好ましい。
これにより、表示パネルとして、表示デバイス自身にメモリ機能を有する強誘電液晶を用いた場合には、一定周期で表示信号を送信する必要がなく、また、定期的な画面のリフレッシュが不要となり、消費電力を低減できる。
また、前記表示装置は、操作ユニットを備えており、該操作ユニットの操作内容を前記無線通信手段を介して、本体ユニットへ送信することがより好ましい。
これにより、表示装置のブライトネスやコントラスト等の表示コントロール信号を、本体ユニットからではなく、操作ユニットから直接送信するようにすれば、信号が本体ユニットを経由しないため、本体ユニットの省電力化が図れる。更に、操作ユニットの操作状態を、メニューとして表示装置の画面上に表示させ、そのメニューに沿って操作するようにすれば、使用者は操作ユニットを見ることなく表示装置の操作が可能になるため、より操作ユニットの操作性の向上を図れる。
また、前記表示装置は、表示データを記憶するための記憶手段を備えていることがより好ましい。
これにより、本体ユニットから表示装置へ、表示データを一定周期で送信する必要がないため、表示装置の消費電力を削減できる。
また、前記制御部は、駆動電源の電源容量を検出して前記本体ユニットへ電源容量情報を送信し、該本体ユニットは、前記電源容量情報によって、表示装置へ送信する表示データの量を決定することがより好ましい。
これにより、電源容量の情報を基に、表示装置に送信する表示データ量を決定することができる。つまり、表示装置の電源容量が少なくなっているときは、表示装置へ送信する表示データ量を通常時より減少させて送信する。よって、表示装置上の表示パネルのフレーム及びビット単位での表示データ更新期間を長くでき、結果として、表示装置の電力を削減できる。
また、前記無線通信手段は、ブルーツース（登録商標）の仕様に基づいて構成されていることがより好ましい。
これにより、ブルーツースは、安価部品で構成でき、さらに、ブルーツースによる送受信機は、マスタ／スレーブを自由に切り替えることができるため、前記表示装置と本体ユニット及び／または操作ユニットを相互に結合し、相互に制御することができる。よって、例えば、前記操作ユニットが、本体ユニットと表示装置とを共に制御したり、本体ユニットから表示装置に表示データを送信することができる。
本発明の表示装置は、表示データを表示する表示パネルを有する表示装置において、前記表示パネルに表示する表示データを無線を介して受信する受信部と、該受信された表示データを基に前記表示パネルに信号を供給し、かつ前記受信部を制御する制御部とを備えている。
前記の構成によれば、通信手段として無線を用いており、表示装置近傍に表示データを伝送するケーブルがないため、機器使用者が表示装置を見ながらの作業を自由に行うことができ、機器使用者の作業効率を向上させることができる。また、従来の表示装置の接続クリップで接続するためのワイヤ接続部がないため、ワイヤ接続部の強度を確保するための機構を簡易なものにできる。更に、送信される表示データをそのまま表示できるような形式で送信すれば、表示装置は該表示データをそのまま表示するのみであり、データのフォーマット変換等の特殊な作業が必要なくなり、表示装置に含まれる制御部も簡素化できるため、表示装置のコンパクト化及び軽量化が図れる。
また、前記制御部は、前記表示パネルの表示状態を、および予め設定した表示可能な条件を、無線を介して送信する送信部を備えたことがより好ましい。
これにより、表示パネルの表示状態を判断し、該表示状態の結果を本体ユニットへ送信し、共に送信された予め設定した表示可能な条件と比較することで、過度の表示データが送られて生じる表示状態の乱れや、表示内容の極端な悪化を防止できる。
また、前記制御部が、前記表示装置の電源容量を検出し、該検出した電源容量の情報を無線を介して送信することがより好ましい。
これにより、電源容量の情報を基に、表示装置に送信する表示データ量を決定することができる。つまり、表示装置の電源容量が少なくなっているときは、表示装置へ送信する表示データ量を通常時より減少させて送信する。よって、表示装置上の表示パネルのフレーム及びビット単位での表示データ更新期間を長くでき、結果として、表示装置の電力を削減できる。
また、操作ユニットを備え、制御部が該操作ユニットの操作内容を、無線を介して送信することがより好ましい。
これにより、表示装置のブライトネスやコントラスト等の表示コントロール信号を、本体ユニットからではなく、操作ユニットから直接送信するようにすれば、表示コントロール信号が本体ユニットを経由しないため、本体ユニットの省電力化が図れる。更に、操作ユニットの操作状態を、メニューとして表示装置の画面上に表示させ、そのメニューに沿って操作するようにすれば、使用者は操作ユニットを見ることなく表示装置の操作が可能になるため、より操作ユニットの操作性の向上を図れる。
本発明の表示システムは、表示データを作成する本体ユニットと、該本体ユニットからの表示データを表示する表示装置とを備え、前記本体ユニットと表示装置とが分離された表示システムにおいて、前記本体ユニットと表示装置とが無線通信手段により結合されている。
前記の構成によれば、本体ユニットと表示装置とが分離され、更に両機器間を無線通信手段により結合しているため、表示装置近傍に表示データを伝送するケーブルが無く、機器使用者が表示装置を見ながらの作業を従来のシステムよりも自由に行え、機器使用者の作業効率を向上させることができる。また、本体ユニットと表示装置とが分離しているため、例えば、比較的重量の大きい本体ユニットを機器使用者の腰部分につけ、軽量の表示装置を機器使用者の所望の位置に装備することで、機器使用者の行動がより円滑に行え、作業効率を一層向上させることができる。
また、前記表示装置は、表示データを表示する表示パネル、前記本体ユニットから送信される表示データを受信する受信部、及び該受信部と表示パネルとを制御する制御部を備えていることがより好ましい。
これにより、表示装置にはクリップ接続するためのワイヤ接続部がないため、従来のワイヤ接続部の強度を確保するための機構を簡易なものとすることができる。更に、表示装置が本体ユニットから送信される表示データをそのまま表示し、データのフォーマット変換等の特殊な作業は、本体ユニットで行うことで、表示装置に含まれる制御部を簡素化でき、表示装置のコンパクト化及び軽量化が図れる。
また、前記表示装置は、表示データを表示する表示パネル、前記本体ユニットから送信される表示データを受信する受信部、該受信部と前記表示パネルとを制御し該表示パネルの表示状態を、または予め設定した表示可能な条件を、無線を介して送信する送信部を備えていることがより好ましい。
これにより、表示装置のワイヤ接続部がないため、従来ワイヤ接続部の強度を確保するための機構を簡易なものとすることができる。更に、表示装置は、本体ユニットから送信される表示データをそのまま表示するのみであり、データのフォーマット変換等の特殊な作業は、本体ユニットで行われるため、表示装置に含まれる制御部を簡素化できる。この様な構成により表示装置のコンパクト化及び軽量化が図れる。また、表示パネルの表示状態を判断し、該表示状態の結果を本体ユニットに送信（フィードバック）することができるので、過度の表示データが送られて表示状態が乱れることを防止し、表示内容を極端に悪化させることを防止できる。
本発明の表示システムは、表示データを作成する本体ユニットと、該本体ユニットからの表示データを表示する表示装置と、本体ユニットまたは表示装置に機器使用者がデータを入力する操作ユニットを備え、前記本体ユニットと表示装置と操作ユニットとが分離された表示システムにおいて、前記表示装置と本体ユニット及び／または操作ユニットとが無線通信手段により結合されている。
前記の構成によれば、本体ユニットと表示装置と機器使用者が入力する操作ユニットとが分離され、更に前記機器間を無線通信手段により結合されるため、表示装置近傍に表示データを伝送するケーブルが無く、機器使用者が表示装置を見ながらの作業を自由に行え、作業効率が向上する。また、比較的重量の大きい本体ユニットを機器使用者の腰部分につけ、軽量の表示装置を機器使用者の所望の位置に装備できるため、機器使用者の行動がより円滑に行え、作業効率も向上する。また、操作ユニットも機器使用者の所望の場所に装備でき、操作性が向上する。該操作ユニットは、本体ユニットを制御するのみではなく、本体ユニットを介さずに前記表示装置を直接制御することができ、表示変更の反応速度が向上する。
本発明の表示システムは、表示データを作成する本体ユニットと、該本体ユニットからの表示データを表示する表示装置とを備えた前記本体ユニットと表示装置とが分離され、かつ本体ユニットと表示装置とが無線通信手段により結合された表示システムにおいて、前記表示装置内に備えられた制御部が該表示装置の電源容量を検出し、該検出した電源容量の情報を無線を介して送信し、本体ユニットがそれに応じて表示データの伝送レートを変更する。
前記の構成によれば、電源容量の情報を基に、表示装置に送信する表示データ量を決定することができる。つまり、表示装置の電源容量が少なくなっているときは、表示装置へ送信する表示データ量を通常時より減少させて送信する。よって、表示装置上の表示パネルのフレーム及びビット単位での表示データ更新期間を長くでき、結果として、表示装置の電力を削減できる。
本発明の表示システムは、表示データを作成する本体ユニットと、該本体ユニットからの表示データを表示する表示装置とを備え、前記本体ユニットと表示装置とが分離され、かつ本体ユニットと表示装置とが無線通信手段により結合された表示システムにおいて、表示装置は、操作ユニットを備え、制御部が該操作ユニットの操作内容を無線を介して送信し、前記本体ユニットを操作する。
前記の構成によれば、表示装置のブライトネスやコントラスト等の表示コントロール信号を、本体ユニットからではなく、操作ユニットから直接送信するようにすれば、信号が本体ユニットを経由しないため、本体ユニットの省電力化が図れる。更に、操作ユニットの操作状態を、メニューとして表示装置の画面上に表示させ、そのメニューに沿って操作するようにすれば、使用者は操作ユニットを見ることなく表示装置の操作が可能になるため、より操作ユニットの操作性の向上を図れる。
前記無線通信手段は、ブルーツースの仕様に基づいて構成されていることがより好ましい。
これにより、前記無線通信手段が、ブルーツースの仕様に基づいて構成されているので、双方向の電波無線送受信により表示部近傍のケーブルが無く作業効率が向上し、更に表示装置の表示状態に応じて表示信号を本体ユニットから送信して、表示内容が極端に悪化することもない。また、ブルーツースは、安価部品で構成でき、伝送速度も将来的に向上するので、前記表示データの送受信が無線通信手段を用いて実現できる。更に、ブルーツースによる送受信機は、マスタ／スレーブを自由に切り替えることができるため、前記表示装置と本体ユニット及び／または操作ユニットを相互に結合し、相互に制御することができ、例えば、前記操作ユニットが、本体ユニットと表示装置とを共に制御したり、本体ユニットから表示装置に表示データを送信することができる。
本発明のさらに他の目的、特徴、および優れた点は、以下に示す記載によって十分わかるであろう。また、本発明の利益は、添付図面を参照した次の説明で明白になるであろう。
発明を実施するための最良の形態
以下、実施例および比較例により、本発明をさらに詳細に説明するが、本発明はこれらにより何ら限定されるものではない。
本発明の実施の形態について以下に説明する。
〔実施の形態１〕
本発明の表示装置および表示システムに係る一実施の形態について図１〜４に基づいて説明すれば、以下の通りである。
本実施の形態の表示システムは、図１に示すように、本体ユニット１と表示装置２との２つの部分を備えており、両者間の情報は無線によって授受される。基本的な動作として、表示装置２に表示される表示データは、本体ユニット１から表示装置２に無線伝送される。
本体ユニット１は、例えば、Ｂｌｕｅｔｏｏｔｈ（以下、ブルーツース（登録商標）と示す）仕様の無線インターフェース（無線通信手段）３を備えたノートＰＣ、ハンドヘルドＰＣ、ポケットＰＣ、携帯情報端末等である。
尚、ブルーツースは、広く普及しつつある携帯情報機器向けの無線通信技術であり、２．４ＧＨｚ帯の電波を利用した初期バージョンの場合には、機器間の距離が１０ｍ以内であれば１Ｍｂｐｓの速度で通信を行うことができる。実効的には、非対称伝送時に下り方向が７２１ｋｂｐｓ、上り方向が５７．６ｋｂｐｓであり、低コストかつコンパクトな回路構成が可能であることを特長としている。
また、本体ユニット１は、必ずしも前述した従来の機器のように、本体ユニット１内に表示機能を備えている必要はなく、表示機能を省くことによって本体ユニット１の大幅なコンパクト化を図ることが可能である。これにより、コンパクト化された本体ユニット１は、アタッシュケース、かばん、ポーチ等の携帯品や、日常よく接する家具や移動手段である自動車等に組み込むことができる。
本体ユニット１に設けられた無線インターフェース３は、通常時には、待機状態にあり、無線インターフェース３を介して本体ユニット１に要求情報が送信されると、本体ユニット１は無線インターフェース３を介して表示装置２に表示データを送信する。
例えば、表示装置２の電源がオンされた時に、表示装置２から本体ユニット１へ前記要求情報が送られ、該要求情報により本体ユニット１から表示装置２へ表示データを送信してもよい。また、本体ユニット１の電源がオンされた時に、本体ユニット１自体で自己的に要求情報を発生させ、本体ユニット１から表示装置２へ表示データを送るようにしてもよい。
逆に、無線インターフェース３を介して、本体ユニット１に解除信号が送られた場合には、本体ユニット１は、表示装置２への表示データの送信を停止する。
この表示データのデータ形式は、通常の時系列の画像データであってもよく、また、ＨＴＭＬ（Ｈｙｐｅｒ  Ｔｅｘｔ  Ｍａｒｋｕｐ  Ｌａｎｇｕａｇｅ）やＸＭＬ（Ｅｘｔｅｎｓｉｂｌｅ  Ｍａｒｋｕｐ  Ｌａｎｇｕａｇｅ）等の形式であってもよい。
本実施の形態の表示装置２は、フレームメモリを備えていないため、通常の表示装置と同様に、本体ユニット１から表示装置２へ一定周期で表示データを送信する必要がある。尚、表示装置２に用いられる表示デバイス自体が強誘電液晶のようにメモリ機能を有している場合は、上述のように一定周期で表示信号を送信する必要はない。
ここで、表示装置２の構成と動作について説明する。
表示装置２は、図２に示すように、ブルーツース仕様の無線インターフェース（無線通信手段）１０の他に、表示パネル１１、制御部１２、バッテリ１３等を備えている。このように、表示装置２の構成は極めて簡素であり、表示装置２の寸法及び重量は、主に表示パネル１１とバッテリ１３の寸法及び重量によって決まる。
本実施の形態の表示装置２は、表示パネル１１の画素数が比較的少ない表示装置である。また、表示装置２の形状は、腕時計型、ペンダント型、ＨＭＤ型等にすることで装着が容易になる。
表示装置２は、本体ユニット１から送信される表示データを表示する機能だけを備えている場合には、前記無線インターフェース１０は、受信機能を有する受信部のみで構成されていてもよい。これにより、前記無線インターフェース１０の構成が簡素化され、表示装置２をよりコンパクト化したものにできる。
表示装置２は、図３に示すように、その電源状態がオフのときに電源スイッチがオンされると、先ず、表示装置２自身の電源をオン状態にした後、本体ユニット１に対し無線インターフェース１０を通して要求信号を送り、それに対する本体ユニット１からの送信信号を受け取る。逆に、表示装置２の電源状態がオンのときに電源スイッチがオフされると、送信信号が無用になることを示す解除信号を、無線インターフェース１０を介して本体ユニット１に送信した後、表示装置２自身の電源をオフ状態にする。
尚、図３では、ブルーツース固有の仕様に基づくモード設定の手続きについて省略して図示している。このような要求／解除信号の生成の手順は、パワーオンシーケンス及びパワーオフシーケンスとして、図２に示す制御部１２に組み込まれている。
表示装置２が表示を行う際には、本実施形態の表示システムでは、表示装置２からの要求信号に対応して、本体ユニット１から表示データが表示装置２に送信される。この表示データは、表示装置２において、無線インターフェース１０を介して制御部１２で解読され、表示パネル１１に表示可能な形のデータとして展開された後、表示のタイミングに併せて表示パネル１１に表示される。
尚、表示装置２の電源オン／オフ時に要求／解除信号を送る方法は、必ずしも前記と同様の方法に限定されるものではない。例えば、図４に示すように、表示装置２の電源オン期間中は、一定周期で要求信号を送るような方法を採用してもよい。この場合、本体ユニット１は、一定期間内に要求信号を受信した場合には、表示装置２へ表示データを送り続け、一定期間以上経っても要求信号を受信しない場合には、表示データの送信を停止する。
さらに、本体ユニット１自身が、前記要求／解除信号を発生させ、または該要求／解除信号に関係なく表示データを表示装置２へ無線インターフェース３を介して送信し続けても良い。この場合、本体ユニット１の無線インターフェース３は、送信機能を持つ送信部のみで、表示装置２の無線インターフェース１０は、受信機能を持つ受信部のみで構成することができるため、各機器の簡素化が図れる。これにより、表示システムに係る装置をコンパクト化して、使用者の作業効率を向上させることができる。
また、本実施形態の表示システムでは、本体ユニット１から表示装置２へ送信され、表示パネル１１に表示される表示データの形式が、データフォーマット変換等の特殊な作業を必要としない程度に、本体ユニット１において処理されている。これにより、表示装置２の制御部１２は、送信された表示データを、単に表示パネル１１に送信または切替するのみの非常に簡素な構成にすることができる。よって、制御部１２には、特殊な演算回路が不要となり、制御部１２の簡素化が図れ、表示装置２のコンパクト化及び軽量化を実現できる。
表示パネル１１は、画面サイズが２型、画素構成が１６０×ＲＧＢ×１２０画素で１６階調の反射型ＴＦＴ液晶パネルである。この反射型ＴＦＴ液晶パネルの構造は、従来のパネル構造と同様の構造であり、ガラス基板ないしプラスチック基板で液晶層を挟み込んで、一方の基板上に画素アレイが形成されている。
この画素アレイは、図５に示すように、信号線駆動回路及び走査線駆動回路によって駆動される。特に、低温プロセス多結晶シリコンＴＦＴのような高駆動力を持つ素子でこの画素アレイが形成される場合には、前記信号線駆動回路及び走査線駆動回路を同一プロセスで一体形成することができる。
この反射型ＴＦＴ液晶パネルを、６０Ｈｚの垂直周波数で駆動するためには、約１３Ｍｂｐｓの転送速度が必要となる。そこで、本願出願人による特願２００１−９４０３４号に示す低周波数駆動等を行うことにより、必要な転送速度を抑えることができる。例えば、前記垂直周波数を１／２５にすれば、転送速度は約０．５Ｍｂｐｓになる。従って、表示装置２は、時系列の画像データを送る場合も、ブルーツース仕様の転送速度による表示が可能になる。
制御部１２は、ディスプレイコントローラとしての機能と無線インターフェースの制御機能とを有している。制御部１２は、基本的な動作として、無線インターフェース１０で受信された表示データを表示可能な形のデータに展開した後、表示パネル１１に表示させている。この制御部１２による処理は、全てデジタル処理であり、途中の処理過程で必要なメモリと合わせて、１チップにＬＳＩ化することができる。
もし、前記の通り本体ユニット１から送信される表示データが、既に表示パネル１１に表示できるフォーマットに形式変換されている場合には、前記制御部１２は、その送信されてくる表示データをそのまま表示パネル１１に送信すればよい。更に、本体ユニット１から表示パネル１１の作動タイミングを決める信号も、表示データと共に送信すれば、前記制御部１２は、更に簡単な動作で済む。また、無線インターフェース１０が通信機能を有する受信部のみで構成されていれば、制御部１２は無線インターフェース１０を制御する際に、複雑な動作は不要となり、ただ本体ユニット１から送信された表示データのタイミング合わせを行うだけでよい。これにより、制御部１２は、非常に簡素な構成となり、表示装置２のコンパクト化、軽量化を実現でき、表示システム１１を装着した使用者の作業効率を向上させることができる。
さらに、本実施形態の表示システムでは、前記無線インターフェース１０が、送信及び受信機能をそれぞれ有する送信部及び受信部を備えており、前記表示データを受信すると共に表示パネル１１に表示されるデータの状態を制御部１２で判断し、その判断した結果を無線インターフェース１０を介して、本体ユニット１にフィードバックしている。これにより、本体ユニット１から送信される表示データの伝送速度が表示パネルに表示される速度より早い場合には、本体ユニット１からの送信を一時中止したり、逆に中止を解除したりし、表示状態を最適に保つことができる。
また、バッテリ１３は、無線インターフェース１０、表示パネル１１、制御部１２等の表示装置２の各部に必要な電源を供給する働きをする。バッテリ１３の重量と持続時間は、トレードオフの関係にあるため、使用目的に合致するバッテリ容量を選択する必要がある。
尚、本実施の形態の表示装置２に用いられる表示パネル１１は、直視型だけでなく、ＨＭＤの様な眼鏡型ディスプレイの場合にも適応できる。また、本体ユニット１及び表示装置２に用いられる無線インターフェース１０が、ブルーツース仕様の場合を例に挙げて説明したが、他の無線インターフェースであってもよい。より高速な無線インターフェースを採用することにより、大容量の表示を容易に行うことができる。
本実施の形態では、画面サイズが２型で画素構成が１６０×ＲＧＢ×１２０画素の場合を例にとって説明したが、先に述べたように表示パネル１１は、表示装置２の寸法及び形状を大きく左右するファクタであり、使用目的に応じて最適な画面サイズ及び表示画素数を設定する必要がある。
尚、表示パネルに使用するデバイスは低消費電力であればよいため、必ずしも液晶パネルに限定されるものではなく、例えば、自発光型のＥＬパネルであってもよい。また、強誘電液晶のように表示デバイス自身にメモリ機能を有する場合には、定期的な画面のリフレッシュが不要となり、消費電力の低減の観点から極めて好適である。
〔実施の形態２〕
本発明の表示装置および表示システムに係る他の実施の形態について、図６〜図８に基づいて説明すれば、以下の通りである。
本実施の形態の表示システムは、図６に示すように、本体ユニット２１、表示装置２２及び操作ユニット２３の３つの部分に分離されており、各部分はそれぞれに無線インターフェース（無線通信手段）３ａ・３ｂ・３ｃを備えている。
本実施の形態の表示システムは、操作ユニット２３が追加された点、および本体ユニット２１に対する要求／解除信号が操作ユニット２３から発信される点について、前述した実施の形態１の表示システムと異なっているが、その他の点については実施の形態１と同様である。表示装置２２に表示される表示データは、実施の形態１と同様に、本体ユニット２１から表示装置２２に無線伝送される。
操作ユニット２３は、図７に示すように、操作入力部３１、１チップマイクロコンピュータ３２及び無線インターフェース３ｃを備えている。尚、図７においては、操作ユニット２３に必要なバッテリは省略して図示している。
操作入力部３１において表示開始を指示するキー入力が行われると、このキー入力動作は、１チップマイクロコンピュータ３２の入力ポートによって検知され、無線インターフェース３ｃを介して、要求信号が本体ユニット２１（無線インターフェース３ａ）及び表示装置２２（無線インターフェース３ｂ）に送信される。
そして、操作入力部３１において表示終了を指示するキー入力が行われると、このキー入力動作は、１チップマイクロコンピュータ３２の入力ポートを通じて検知され、無線インターフェース３ｃを介して、解除信号が本体ユニット２１及び表示装置２２へ送られる。
以上の手順は、プログラムの形で予め１チップマイクロコンピュータ３２のＲＯＭに書き込まれる。尚、本体ユニット２１及び表示装置２２の間で行われる表示データの授受方法に関しては、実施の形態１の場合と同様である。
無線インターフェース３ａ〜３ｃがブルーツースである場合、各無線インターフェース３ａ〜３ｃはマスタ／スレーブに切り替えることができ、さらに、一つのスレーブ機を二つのマスタ機のスレーブ機とすることもできる。
例えば、前記操作ユニット２３及び本体ユニット２１をマスタとし、表示装置２２をスレーブとすれば、表示装置２２は、本体ユニット２１から送信される表示データを表示するのはもちろんのこと、操作ユニット２３から送信される表示データも、直接表示することができるとともに、操作ユニット２３からも表示装置２２を直接操作することができる。また、表示装置２２の表示状態を操作ユニット２３に直接転送することもできる。
すなわち、本実施の形態の表示システムでは、操作ユニット２３を備えているため、表示装置２２のブライトネスやコントラスト等の表示コントロール信号を、本体ユニット２１からではなく、操作ユニット２３から直接送るようにすれば、本体ユニット２１を経由しないため、本体ユニット２１の省電力化が図れる。更に、操作ユニット２３の操作状態を、図８に示すように、メニューとして表示装置２２の画面上に表示させ、そのメニューに沿って操作するようにすれば、使用者は操作ユニット２３を見ることなく表示装置２２の操作が可能になるため、より操作ユニット２３の操作性の向上を図れる。
例えば、使用者が、本体ユニット２１をカバン等の中に備え、表示装置２２をサングラス等に組み込んでおり、操作ユニット２３をズボン等のポケットに備えている場合に、使用者が操作ユニット２３を取り出さなくても操作ユニット２３のダイヤル等でメニューから所望の内容を選択し、表示装置２２の表示コントロールができる。また、このような操作ユニット２３の操作を行う際に、操作ユニット２３と表示装置２２の表示パラメータデータが正しくやり取りできているかを確認するために、表示装置２２から表示パラメータを操作ユニット２３に再度転送して参照するようにすれば、表示コントロールの信頼性をより向上させることができる。このように、機器同士の相互の結合により、より自由度の高い表示システムを構成することが可能となる。
〔実施の形態３〕
本発明の表示装置および表示システムに係るさらに他の実施の形態について、図９および図１０に基づいて説明すれば、以下の通りである。
本実施の形態の表示システムは、図９に示すように、基本構成は図１の表示システムと同様であり、本体ユニット４１と表示装置４２の２つの部分を備え、両者間の情報は無線を介して授受されている。本実施の形態の表示システムの基本的な動作として、表示装置４２から本体ユニット４１に送られる要求に対して、この要求に対応した表示情報が、本体ユニット４１から表示装置４２に送られている。
本実施の形態では、表示装置４２がフレームメモリ（記憶手段）を備えており、本体ユニット４１から一定周期で表示信号を送出する必要がない点で、実施の形態１の場合とは異なっている。
本実施の形態の表示システムにおいて用いられる表示データのデータ形式は、実施の形態１の場合と同様に、通常の時系列の画像データであっても、ＨＴＭＬ（Ｈｙｐｅｒ  Ｔｅｘｔ  Ｍａｒｋｕｐ  Ｌａｎｇｕａｇｅ）やＸＭＬ（Ｅｘｔｅｎｓｉｂｌｅ  Ｍａｒｋｕｐ  Ｌａｎｇｕａｇｅ）等の形式であってもよい。
ここで、本実施の形態の表示装置４２の構成と動作について説明する。表示装置４２は、図１０に示すように、ブルーツース仕様の無線インターフェース５０の他に、表示パネル５１、表示メモリ５２、表示コントローラ５３、ＣＰＵ５４、ＲＯＭ５５、ＲＡＭ５６、操作入力部５７、バッテリ５８等を備えている。
表示装置４２の使用者が、操作入力部５７に対して何らかの操作を行うと、この操作内容がＣＰＵ５４によって解釈される。そして、その結果が表示装置４２からの要求として、無線インターフェース５０を通じて本体ユニット４１の無線インターフェース４３に送信される。この時の送信内容としては、例えば、本体ユニット４１の中のアプリケーションの実行であってもよい。また、操作方法としては、例えば、表示装置４２上に表示されている画面からパソコンを操作するようにアクセスする操作であってもよい。また、携帯電話で利用されているようなメニュー画面から欲しいアプリケーションを選択する操作であってもよい。
また、本体ユニット４１から送信された表示データは、無線インターフェース５０を介してＣＰＵ５４で解読され、表示パネル５１に表示可能な形に展開されて、表示メモリ５２に書き込まれる。この表示メモリ５２に書き込まれた表示データは、表示コントローラ５３によって一定周期で読み出されて表示パネル５１に表示される。このような一連の動作をＣＰＵ５４が行うためのプログラムは、ＲＯＭ５５に格納されている。また、ＲＡＭ５６は、ＣＰＵ５４のワークメモリやスタックメモリとして使用される。
表示パネル５１は、例えば、画面サイズが４型、画素構成がＶＧＡフォーマット（６４０×ＲＧＢ×４８０画素）の反射型ＴＦＴ液晶パネルである。この反射型ＴＦＴ液晶パネルの構造は、一般的なＴＦＴ型液晶パネル構造と同じであるので詳細な説明は省略する。表示パネル５１に使用するデバイスは、実施の形態１の場合と同様に、低消費電力であれば必ずしも液晶パネルである必要はなく、例えば、自発光型のＥＬパネルであってもよい。
表示メモリ５２には、ＳＲＡＭあるいはＤＲＡＭを用いることができる。本実施の形態の場合、１画素の階調が６４階調であれば、１画面分のメモリ容量は、６４０×３×４８０×６ビットとなる。高速な表示切替が必要な用途では、表示メモリ５２の容量は２画面以上備えることが望ましい。
表示コントローラ５３は、一般にディスプレイコントローラあるいはグラフィックコントローラ等と呼ばれる制御回路と同じ機能を備えており、詳細な説明は省略するが、基本的な動作として、表示メモリ５２から表示データを一定周期（例えば、垂直周波数）で読み出し、表示パネル５１に表示する働きをする。
ＣＰＵ５４は、低消費電力で必要な処理性能を備えていれば機種は限定されるものではなく、例えば、３２ビットのＲＩＳＣマシンであるＡＲＭプロセッサを用いることができる。また、装置のコンパクト性の観点から、ＲＯＭ５５及びＲＡＭ５６は、ＣＰＵ５４と同一のＬＳＩ上に搭載されている方が望ましい。
操作入力部５７は、通常のキー入力やタブレット（ペン）入力等であり、使用者の指示が入力される。また、操作入力部５７として、使用者の音声を検知し認識する音声入力を用いてもよい。
本実施の形態の表示システムでは、以上のように、表示メモリ５２を備えているため、本体ユニット４１から表示装置４２へ、表示データを一定周期で送信する必要がなく、表示装置４２の消費電力を削減できる。
尚、本実施の形態３では、本体ユニット４１及び表示装置４２に用いられる無線インターフェース５０として、ブルーツース仕様の場合を例にとって説明したが、他の無線インターフェースであってもよい。より高速な無線インターフェースを採用することにより、大容量の表示を高速に行うことができる。
〔実施の形態４〕
本発明の表示装置および表示システムに係るさらにまた他の実施の形態について、図１１〜図１２に基づいて説明すれば、以下の通りである。
本実施の形態の表示システムは、図１１に示すように、基本構成は、図１の表示システムと同様であるが、本体ユニット６１と表示装置６２の２つの部分を備えており、両者間の情報は無線を介して授受されている。この表示システムの基本的な動作としては、表示装置６２から本体ユニット６１へ送られる要求に対して、この要求に対応した表示データが本体ユニット６１から表示装置６２に送られる。
本体ユニット６１の構成は、実施の形態１と同様であるため、その説明は省略する。本実施の形態において用いられる表示データのデータ形式は、実施の形態１と同様に、通常の時系列の画像データであってもよく、また、ＨＴＭＬ（Ｈｙｐｅｒ  Ｔｅｘｔ  Ｍａｒｋｕｐ  Ｌａｎｇｕａｇｅ）やＸＭＬ（Ｅｘｔｅｎｓｉｂｌｅ  Ｍａｒｋｕｐ  Ｌａｎｇｕａｇｅ）等の形式であってもよい。
また、本実施の形態の表示システムでは、表示装置６２から本体ユニット６１へ送信する情報には、表示装置６２自身の電源情報を併せて本体ユニット６１に送信する点で、実施の形態１の表示システムと異なっているが、その他の点については同様である。
ここで、本実施の形態における表示装置６２の構成と動作について、以下に説明する。
表示装置６２は、図１２に示すように、ブルーツース仕様の無線インターフェース７０の他に、表示パネル７１、制御部７２、バッテリ７３等を備えている。
制御部７２は、ディスプレイコントローラとしての機能および無線インターフェースとしての機能に加え、バッテリ７３の電力容量を検出する機能を備えている。バッテリ７３の電力容量の検出は、バッテリ７３の電源電圧値の低下分を監視することで可能になる。ただし、前記検出方法は、これに限定されるものではない。
制御部７２によって検出されたバッテリ７３の電源容量の情報は、例えば、図４で示したように、定期的に表示装置６２から要求信号が送られていれば、それに併せて送信してもよいし、要求信号とは別のタイミングで送ってもよい。また、バッテリ７３としては、太陽電池を用いることができる。
本体ユニット６１では、無線インターフェース７０を介して送信されてきた表示装置６２のバッテリ７３の電源容量の情報を基に、表示装置６２に送信する表示データ量を決定する。つまり、表示装置６２のバッテリ７３の電源容量が少なくなっているときは、表示装置６２へ送る表示データ量を通常時より減少させ、無線インターフェース６３を介して送信する。具体的には、表示データのフレーム周波数、あるいは階調ビットを下げる、もしくはその両方を行う。
これにより、表示装置６２上の表示パネル７１のフレーム及びビット単位での表示データ更新期間を長くでき、結果として、表示装置６２の電力を削減できる。結果的に表示装置６２の表示は、階調数が低い、あるいはコマ送りの表示となるが、バッテリが少ない状況であれば、使用者に対して受け入れられるものと思われる。
尚、本体ユニット６１及び表示装置６２に用いられる無線インターフェース６３・７０として、ブルーツース仕様の場合を例に挙げて説明したが、他の無線インターフェースであってもよい。より高速な無線インターフェースを採用することにより、大容量の表示を容易に行うことができる。
尚、本発明は、ウェアラブル装置に限定されるものではなく、例えば、本体を机の下に、ディスプレイおよび操作ユニットを机上に置いて作業するタイプのコンピュータ装置や、壁掛けディスプレイにホームサーバ、若しくは操作ユニットからデータを送信するディスプレイシステムや、電子ペーパーとしてのディスプレイに本体からデータを送信する電子ペーパーシステム等にも適用できる。
尚、発明を実施するための最良の形態の項においてなした具体的な実施態様または実施例は、あくまでも、本発明の技術内容を明らかにするものであって、そのような具体例にのみ限定して狭義に解釈されるべきものではなく、本発明の精神と次に記載する特許請求の範囲内で、いろいろと変更して実施することができるものである。
産業上の利用の可能性
本発明の表示システムによれば、通信手段として無線を用いており、表示装置と本体ユニットとを結ぶ表示データを伝送するためのケーブルがないため、機器使用者が表示装置を見ながらの作業を自由に行うことができ、本表示システムの使用者の作業効率を向上させることができる。また、従来の表示装置における接続クリップで接続するためのワイヤ接続部がないため、ワイヤ接続部の強度を確保するための機構を簡易なものにできる。
また、本発明の表示システムによれば、通信手段として無線を用いており、表示装置と本体ユニットとを結ぶ表示データを伝送するためのケーブルがないため、表示装置、本体ユニットのレイアウトの自由度を増すことができる。
また、前記表示システムによれば、表示装置に複雑な処理回路を設ける必要がないため、表示装置を簡易な構成にでき、表示装置のコンパクト化および軽量化が図れる。よって、機器使用者の作業効率を従来よりも向上させることができる。
また、前記表示システムによれば、従来の表示装置の接続クリップで接続するためのワイヤ接続部がないため、ワイヤ接続部の強度を確保するための機構を簡易なものにできる。
また、前記表示システムによれば、本体ユニットから送信される表示データの伝送速度が表示パネルに表示される速度より早過ぎる場合には、本体ユニットからの送信を一時中止したり、逆に中止を解除したりすることで、表示状態を最適に保つことができる。
また、前記表示システムによれば、前記送信部から、予め設定された表示パネルにおける表示可能な条件と、表示パネルの現在の表示状態とが本体ユニットへ送信されるため、両者を比較することにより、表示状態を修正すべきか否かが直ちに認識できる。よって、表示状態をより効果的に保つことができる。
また、前記表示システムによれば、低温プロセス多結晶シリコンＴＦＴは、高駆動力を持つ素子であるため、パネルの表面に信号線駆動回路及び走査線駆動回路を同一プロセスで一体形成することができる。
また、前記表示システムによれば、表示パネルとして、表示デバイス自身にメモリ機能を有する強誘電液晶を用いた場合には、一定周期で表示信号を送信する必要がなく、また、定期的な画面のリフレッシュが不要となり、消費電力を低減できる。
また、前記表示システムによれば、表示装置のブライトネスやコントラスト等の表示コントロール信号を、本体ユニットからではなく、操作ユニットから直接送信するようにすれば、信号が本体ユニットを経由しないため、本体ユニットの省電力化が図れる。更に、操作ユニットの操作状態を、メニューとして表示装置の画面上に表示させ、そのメニューに沿って操作するようにすれば、使用者は操作ユニットを見ることなく表示装置の操作が可能になるため、より操作ユニットの操作性の向上を図れる。
また、前記表示システムによれば、本体ユニットから表示装置へ、表示データを一定周期で送信する必要がないため、表示装置の消費電力を削減できる。
また、前記表示システムによれば、電源容量の情報を基に、表示装置に送信する表示データ量を決定することができる。つまり、表示装置の電源容量が少なくなっているときは、表示装置へ送信する表示データ量を通常時より減少させて送信する。よって、表示装置上の表示パネルのフレーム及びビット単位での表示データ更新期間を長くでき、結果として、表示装置の電力を削減できる。
また、前記表示システムによれば、ブルーツースは、安価部品で構成でき、さらに、ブルーツースによる送受信機は、マスタ／スレーブを自由に切り替えることができるため、前記表示装置と本体ユニット及び／または操作ユニットを相互に結合し、相互に制御することができる。よって、例えば、前記操作ユニットが、本体ユニットと表示装置とを共に制御したり、本体ユニットから表示装置に表示データ送信することができる。
本発明の表示装置によれば、表示装置近傍に表示データを伝送するケーブルがないため、機器使用者が表示装置を見ながらの作業を自由に行え、作業効率が向上する。また、表示装置のワイヤ接続部がないため、従来ワイヤ接続部の強度を確保するための機構を簡易なものとすることができる。更に送信される表示データをそのまま表示できるような形式で送信することで、表示装置は該表示データを処理することなく、そのまま表示するのみであり、データのフォーマット変換等の特殊な処理を省略できる。これにより、表示装置に含まれる制御部を簡素化でき、表示装置のコンパクト化及び軽量化が図れるという効果を奏する。
また、前記表示装置によれば、表示パネルの表示状態を判断し、該表示状態の結果を本体ユニットへ送信し、共に送信された予め設定した表示可能な条件と比較することで、過度の表示データが送られて生じる表示状態の乱れや、表示内容の極端な悪化を防止できる。
また、前記表示装置によれば、電源容量の情報を基に、表示装置に送信する表示データ量を決定することができる。つまり、表示装置の電源容量が少なくなっているときは、表示装置へ送信する表示データ量を通常時より減少させて送信する。よって、表示装置上の表示パネルのフレーム及びビット単位での表示データ更新期間を長くでき、結果として、表示装置の電力を削減できる。
また、前記表示装置によれば、表示装置のブライトネスやコントラスト等の表示コントロール信号を、本体ユニットからではなく、操作ユニットから直接送信するようにすれば、信号が本体ユニットを経由しないため、本体ユニットの省電力化が図れる。更に、操作ユニットの操作状態を、メニューとして表示装置の画面上に表示させ、そのメニューに沿って操作するようにすれば、使用者は操作ユニットを見ることなく表示装置の操作が可能になるため、より操作ユニットの操作性の向上を図れる。
また、本発明の表示システムによれば、本体ユニットと表示装置とが分離され、更に両機器間を無線通信手段により結合しているため、表示装置近傍に表示データを伝送するケーブルが無く、機器使用者が表示装置を見ながらの作業を従来のシステムよりも自由に行え、機器使用者の作業効率を向上させることができる。また、本体ユニットと表示装置とが分離しているため、例えば、比較的重量の大きい本体ユニットを機器使用者の腰部分につけ、軽量の表示装置を機器使用者の所望の位置に装備することで、機器使用者の行動がより円滑に行え、作業効率を一層向上させることができる。
また、前記表示システムによれば、表示装置にはクリップ接続するためのワイヤ接続部がないため、従来のワイヤ接続部の強度を確保するための機構を簡易なものとすることができる。更に、表示装置が本体ユニットから送信される表示データをそのまま表示し、データのフォーマット変換等の特殊な作業は、本体ユニットで行うことで、表示装置に含まれる制御部を簡素化でき、表示装置のコンパクト化及び軽量化が図れる。
また、前記表示システムによれば、表示装置のワイヤ接続部がないため、従来ワイヤ接続部の強度を確保するための機構を簡易なものとすることができる。更に、表示装置は、本体ユニットから送信される表示データをそのまま表示するのみであり、データのフオーマット変換等の特殊な作業は、本体ユニットで行われるため、表示装置に含まれる制御部を簡素化できる。この様な構成により表示装置のコンパクト化及び軽量化が図れる。また、表示パネルの表示状態を判断し、該表示状態の結果を本体ユニットに送信（フィードバック）することができるので、過度の表示データが送られて表示状態が乱れることを防止し、表示内容を極端に悪化させることを防止できる。
本発明の表示システムによれば、本体ユ  ットと表示装置と機器使用者が入力する操作ユニットとが分離され、更に前記機器間を無線通信手段により結合されるため、表示装置近傍に表示データを伝送するケーブルが無く、機器使用者が表示装置を見ながらの作業を自由に行え、作業効率が向上する。また、比較的重量の大きい本体ユニットを機器使用者の腰部分につけ、軽量の表示装置を機器使用者の所望の位置に装備できるため、機器使用者の行動がより円滑に行え、作業効率も向上する。また、操作ユニットも機器使用者の所望の場所に装備でき、操作性が向上する。該操作ユニットは、本体ユニットを制御するのみではなく、本体ユニットを介さずに前記表示装置を直接制御することができ、表示変更の反応速度が向上する。
本発明の表示システムによれば、電源容量の情報を基に、表示装置に送信する表示データ量を決定することができる。つまり、表示装置の電源容量が少なくなっているときは、表示装置へ送信する表示データ量を通常時より減少させて送信する。よって、表示装置上の表示パネルのフレーム及びビット単位での表示データ更新期間を長くでき、結果として、表示装置の電力を削減できる。
本発明の表示システムによれば、表示装置のブライトネスやコントラスト等の表示コントロール信号を、本体ユニットからではなく、操作ユニットから直接送信するようにすれば、信号が本体ユニットを経由しないため、本体ユニットの省電力化が図れる。更に、操作ユニットの操作状態を、メニューとして表示装置の画面上に表示させ、そのメニューに沿って操作するようにすれば、使用者は操作ユニットを見ることなく表示装置の操作が可能になるため、より操作ユニットの操作性の向上を図れる。
前記表示システムによれば、前記受信部、送信部及び無線通信手段は、ブルーツースの仕様に基づいて構成されているので、安価部品で構成でき、伝送速度も将来的に向上するので、前記表示データの送受信を無線通信手段を用いて実現できる。更に、ブルーツースによる送受信機は、マスタ／スレーブを自由に切り替えることができるため、前記表示装置と本体ユニット及び／または操作ユニットを相互に結合し、相互に制御することができる。例えば、前記操作ユニットが、本体ユニットと表示装置とを共に制御したり、本体ユニットから表示装置に表示データ送信することができる。
【図面の簡単な説明】
図１は、本発明の一実施の形態の表示システムを示す構成図である。
図２は、図１の表示システムの表示装置を示す構成図てある。
図３は、図２の表示装置の送受信のタイミングの一例を示す説明図である。
図４は、図２の表示装置の送受信のタイミングの他の例を示す説明図である。
図５は、図２の表示装置の表示パネルを示す構成図である。
図６は、本発明の他の実施の形態の表示システムを示す構成図である。
図７は、図６の表示システムの操作ユニットを示す構成図である。
図８は、図７の操作ユニットのメニュー表示状態を示す説明図である。
図９は、本発明のさらに他の実施の形態の表示システムを示す構成図である。
図１０は、図９の表示システムの表示装置を示す構成図である。
図１１は、本発明のさらにまた他の実施の形態の表示システムを示す構成図である。
図１２は、図１１の表示システムの表示装置を示す構成図である。
【図１】
0003886898.tif 000002
【図２】
0003886898.tif 000003
【図３】
0003886898.tif 000004
【図４】
0003886898.tif 000005
【図５】
0003886898.tif 000006
【図６】
0003886898.tif 000007
【図７】
0003886898.tif 000008
【図８】
0003886898.tif 000009
【図９】
0003886898.tif 000010
【図１０】
0003886898.tif 000011
【図１１】
0003886898.tif 000012
【図１２】
0003886898.tif 000013